(57)【要約】【課題】  情報伝達手段や照明手段を備えた車両用リフト装置を提供する。【解決手段】  車両用リフト装置は、駆動装置によって上下動する一対の支柱と、各支柱の上端に取り付けられた車両受け台６３とを備え、各支柱がそれぞれ外装材２で覆われており、少なくとも一方の外装材２に情報伝達手段としてのインターフォン３，表示装置４及び／又は収納手段を備えている。また、受け台６３には照明手段６４が備えられ、受け台に形成したガイド溝６３Ｃに摺動可能に照明手段６５が取り付けられている。【選択図】  図８
2005170519.tif 000002
【特許請求の範囲】
【請求項１】
駆動装置によって上下動する一対の支柱と、各支柱の上端に取り付けられた車両受け台とを備えた、車両用リフト装置において、
上記各支柱をそれぞれ外装材で覆い、
上記外装材の少なくとも一方に情報伝達手段及び／又は工具等の収納手段を備えたことを特徴とする、車両用リフト装置。
【請求項２】
前記情報伝達手段がインターフォンであることを特徴とする、請求項１に記載の車両用リフト装置。
【請求項３】
前記情報伝達手段が表示装置であることを特徴とする、請求項１に記載の車両用リフト装置。
【請求項４】
前記収納手段を、前記各外装材の内側に形成したボックス本体とボックス本体の開口を開閉する扉とから構成したことを特徴とする、請求項１に記載の車両用リフト装置。
【請求項５】
前記車両受け台に、照明手段を固定して取り付けたことを特徴とする、請求項１に記載の車両用リフト装置。
【請求項６】
前記車両受け台にガイド溝を形成し、このガイド溝に照明手段を摺動可能に取り付けたことを特徴とする、請求項１又は５に記載の車両用リフト装置。
【請求項７】
前記ガイド溝に、給電用コンセントを摺動可能に取り付けたことを特徴とする、請求項１〜３の何れかに記載の車両用リフト装置。
【請求項８】
前記外装材が化粧板で成るか又は外装材表面に化粧板を取り付けたことを特徴とする、請求項１〜４の何れかに記載の車両用リフト装置。
【発明の詳細な説明】
【技術分野】
【０００１】
本発明は、車両整備工場等において、乗用車等の車両の点検整備等に使用される車両用リフト装置に関する。
【背景技術】
【０００２】
車両整備工場などにおいては、作業者による車両の点検整備等の作業を容易にするために、車両を所定の高さに持ち上げる車両用のリフト装置が使用されている。
例えば、図１０に示すように、従来のリフト装置５０は、作業場Ｐに埋没した駆動装置５１と、この駆動装置５１によって上下動する一対の支柱５２Ｌ，５２Ｒと、各支柱５２Ｌ，５２Ｒの上端部にそれぞれ一つずつ取り付けられた車両載置用の受け台５３，５３とから構成されている。
【０００３】
このようなリフト装置５０においては、先ず車両受け台５３の上面が作業場Ｐの床面と面一の状態で、車両１００をリフト装置５０の上に乗り入れる。そして、作業者は、車両１００の各ジャッキポイントの位置に対応させて、受金５４を左右の受け台５３それぞれに載置する。
【０００４】
次に、駆動装置５１によって各支柱５２Ｌ，５２Ｒをゆっくり上昇させて、各受金５４をジャッキポイントに当接させる。ここで、作業者は、各受金５４が適切に車両のジャッキポイントに対応しているかを確認する。各受金５４が適切に位置付けられていれば、駆動装置５１によって各支柱５２Ｌ，５２Ｒを上下動させて、車両１００を昇降することができる。このようにリフト装置５０によって車両１００をリフトアップした状態で、作業者が車両下に入り込み、点検整備等の作業が行われている。
【０００５】
このような二本の支柱５２Ｌ，５２Ｒが同期して上下動するリフト装置５０の他に、支柱５２Ｌ，５２Ｒの代わりに、パンタグラフ式の支持部によって受け台５３を支持するリフト装置も知られている。
【特許文献１】実用新案登録第３０７３１７９号公報
【特許文献２】特開平１０−３１６３７８号公報
【発明の開示】
【発明が解決しようとする課題】
【０００６】
従来のリフト装置が設置された車両整備工場等は顧客が目にする場合があり、また、見学工場のように実際の作業現場を見学案内しつつ整備作業を行う様式の工場もある。このように顧客や見学者などが目にする作業現場において、リフト装置自体の装飾性に考慮を払ったものは存在せず、また、車両の宣伝或いは広告の表示機能を該リフト装置に付加しようとしても、円柱の支柱５２Ｌ，５２Ｒ或いは折り畳み式の支持部であるため、カンバンなどを取り付けるスペースもほとんどない。
【０００７】
また、車両の点検整備を行う際、作業箇所の手元を照明するため、作業者は別体のスポットライトや懐中電灯などをその都度、適宜の位置に移動させて作業を行っているのが現状で、作業者等の作業効率や安全性を向上させるために、リフト装置５０の支柱５２Ｌ，５２Ｒまわりにディスプレイやインターホンなどの情報伝達手段や、受け台５３にスライド可能な照明手段等を備えるようにしたリフト装置は知られていない。
【０００８】
本発明は、以上の点に鑑み、情報伝達手段や照明手段を備えた車両用リフト装置を提供することを目的とする。
【課題を解決するための手段】
【０００９】
上記目的を達成するために、本発明は、駆動装置によって上下動する一対の支柱と、各支柱の上端に取り付けられた車両受け台とを備えた車両用リフト装置において、各支柱をそれぞれ外装材で覆い、外装材の少なくとも一方にインターフォンや表示装置などの情報伝達手段及び／又は工具等の収納手段を備えたことを特徴としている。
【００１０】
本発明の車両用リフト装置は、好ましくは、前記受け台に照明手段を固定するか、前記受け台にガイド溝を形成し、このガイド溝に照明手段を摺動可能に取り付けている。またこのガイド溝に給電用のコンセントヲ摺動可能に取り付けてもよい。
また、本発明の車両用リフト装置は、前記外装材を化粧板仕上げにしてもよく、或いは外装材の表面に化粧板をとりつけて構成してもよい。
【発明の効果】
【００１１】
本発明によれば、各支柱が幅広の外装材で覆われていることから、外装材表面を宣伝・広告などのスペースとして活用することができる。
また、外装材が情報伝達手段及び／又は工具等の収納手段を備えていることから、作業者の作業効率を向上することができる。さらに、受け台に固定的に設置した照明手段や、受け台に対して摺動可能に取り付けた照明手段によって、作業効率をさらに向上させ、且つ作業環境も改善することができる。
【発明を実施するための最良の形態】
【００１２】
以下、図面に基づいて本発明の実施形態を説明する。
図１は本発明の実施形態に係る車両用リフト装置１を示す斜視図であり、図２は本発明の実施形態に係る車両用リフト装置１の支柱まわりの構造例を示す部分斜視図である。なお、以下の説明において、図１０に示す従来の車両用リフト装置１の部材と同じ部材については、背景技術の説明で使用した符号と同一のものを使用し、その説明を省略する。
【００１３】
本発明の実施形態に係る車両用リフト装置１は、従来の車両用リフト装置５０と同様に、作業場Ｐに埋没した駆動装置５１と、この駆動装置５１によって上下動する一対の支柱５２Ｌ，５２Ｒと、各支柱５２Ｌ，５２Ｒの上端部にそれぞれ一つずつ取り付けられた車両載置用の受け台５３と、を備えているが、以下の構成で、従来の車両用リフト装置５０と異なる。
【００１４】
本発明の実施形態に係る車両用リフト装置１においては昇降台に特徴がある。ここで、図３は、後述するように、外装材２で覆われた支柱と、この支柱の上端で支持された水平の受け台とを含む昇降台の正面図である。なお、本文中において、昇降台とは、外装材２で覆われた支柱と、この支柱によって支持された受け台との一体的に構成された部材を示す。図４は、図３に示す昇降台の背面図である。図５は、図３に示す昇降台の平面図である。図６は、図３に示す昇降台の底面図である。図７は、図３に示す昇降台の左側面図であるが、図面として右側面図は左側面図と対象であるため添付を省略する。
【００１５】
これらの図に示すように、本発明の実施形態に係る車両用リフト装置１においては、各支柱５２Ｌ，５２Ｒまわりが外装材２で覆われている。この外装材２は、内部が中空の筒状に形成されており、例えば図２に示すように、断面コ字状に形成された本体部２Ａと、本体部２Ａの開口部２Ａ５にそれぞれ取り付けられる第一の蓋２Ｂ及び第二の蓋２Ｃと、から成る。
【００１６】
また、外装材２の大きさは、受け台５３が最も高い位置に上昇した際に各支柱５２Ｌ，５２Ｒが外部から視認されないように、そのときの作業場Ｐのフロア面から受け台５３底面迄の距離に対応した長さを有するように設定されている。
【００１７】
本体部２Ａは、樹脂成型品、或いは鉄板等の鋼材を屈曲形成したものであり、３つの平板部２Ａ１〜２Ａ３から成り、中間の平板部２Ａ２の両側縁から他の平板部２Ａ１，２Ａ３が一体に延設していることで、断面略コ字状を呈するようになっている。
【００１８】
各蓋２Ｂ，２Ｃは、樹脂成型品であり、例えば、平板部２Ａ１の縁部と平板部２Ａ３の縁部との間に、はめ込み式に取り付けられている。なお、蓋２Ｂは本体部２Ａの上側に配置されており、蓋２Ｃは本体部２Ａの下側に配置されており、さらに、蓋２Ｂの下端部と蓋２Ｃの上端部とが所定の間隔をおいて向かい合うように配設されている。
【００１９】
また、図２に示すように、蓋２Ｂは、上部２Ｂ１と下部２Ｂ２とが平板状に形成されており、上部２Ｂ１と下部２Ｂ２との間が斜面状に傾斜した傾斜部２Ｂ３として形成されている。即ち、蓋２Ｂは、図２に示すように本体部２Ａに取り付けられた状態では、蓋２Ｂの表面が、上端から所定長下がった位置から下方に行くにしたがって外装材２の内部方向に傾斜し、この傾斜部２Ｂ３の端から延設した下部２Ｂ２の下端が蓋２Ｃの上端部内側に入り込んでいる。
このように、各蓋２Ｂ，２Ｃが本体部２Ａに取り付けられることで略長方形状の閉断面Ｓが画成され、この閉断面Ｓ内に各支柱５２Ｌ（５２Ｒ）が配設される。
【００２０】
このように形成された外装材２は、本体部２Ａの上端部２Ａ４を前述の受け台５３の底面に固着して、取り付けられている。本体部２Ａは、支柱５２Ｌ（５２Ｒ）によって支持されていてもよい。例えば、各支柱５２Ｌ（５２Ｒ）にブラケット（図示省略）を設け、このブラケットを本体部２Ａの内周面に連結するように構成することで、本体部２Ａは各支柱５２Ｌ（５２Ｒ）によって支持される。
【００２１】
さらに、本発明の実施形態に係る車両用リフト装置１においては、前述の外装材２に情報伝達手段が設けられている。この情報伝達手段として、インターフォン３と表示装置４が、本体部２Ａの内周面に固着した各ブラケット（図示省略）にそれぞれ支持されて、外装材２の中に配設されている。
【００２２】
インターフォン３は、例えば、車両整備工場の受け付け等に設置した他のインターフォンと通信を行うものである。このインターフォン３は、蓋２Ｂの内側に配設されており、インターフォン３からの音を外部に通しやすくするために、また外部から音声をインターフォン３に通すための複数の開口２Ｂ４が、蓋２Ｂの上部２Ｂ１に開設されている。インターフォン３に接続したケーブルは、外装材２内を支柱５２Ｌ，５２Ｒに沿って下方に延びており、外装材下端からケーブル先端が引き出され、さらに例えば作業場Ｐの床面下を通って、通信相手である他のインターフォンに接続されている。
【００２３】
また、表示装置４は、車両整備工場の管理装置、例えば、サーバ装置にケーブルを介して接続されており、このサーバ装置から送られてくる情報、例えば、点検及び／又は修理に関する情報，車両に関する情報等を表示するものである。この表示装置４のディスプレイに対応して、蓋２Ｃには開口２Ｃ１が形成されている。この表示装置４に接続したケーブルも、インターフォン３のケーブルと同様に、外装材２内を支柱５２Ｌ，５２Ｒに沿って下方に延びており、外装材下端からケーブル先端が引き出され、さらに例えば作業場Ｐの床面下を通って、サーバ装置に接続されている。
【００２４】
また、表示装置４としてタッチパネル式のディスプレイを使用すれば、作業者が必要に応じて情報を切り換えることができて便利である。例えば、ディスプレイに表示された入力欄にのテンキーを押して、車両番号や部品番号等をサーバ装置に送信することで、その車両や部品に関する情報を得ることができる。これは、従来知られているように、作業者が、パソコンのキーボードを操作して、その番号入力によってサーバ装置から情報を受け取る場合のインターフェースを、ディスプレイに付加した構成である。
【００２５】
さらに、外装材２の内側には照明具６が配設されている。この照明具６は、蓋２Ｂの下部２Ｂ３と蓋２Ｃの上端部との間から蓋２Ｂの傾斜部２Ｂ２及び上部２Ｂ１とを照明するものである。なお、照明具６は、本体部２Ａの内周面に固着した各ブラケット（図示省略）に支持されている。この照明具６からの光を拡散するために、蓋２Ｂの下部２Ｂ３と蓋２Ｃの上端部との間に、アクリルで作られた平板状の透光板７が配設されている。
【００２６】
さらに、図１に示すように、外装材２の外表面（平板部２Ａ２の外面）には、化粧板１０が敷設されている。この化粧板１０としては、例えば、木目調の印刷が施されたパネル，金色や銀色等の金属色に表面処理を施されたパネルを用いると意匠上好ましい。なお、外装材２自体にこのような化粧板を用いても勿論構わない。
【００２７】
このように構成された車両用リフト装置１においては、車両を受け台５３に載せて持ち上げた状態で、作業者は、車両下に入り込んだ作業中に、外装材２に取り付けた表示装置４から作業に関する情報を得ることができる。
これに対して、従来の車両用リフト装置５０においては、表示装置４が設けられていなかったことから、作業者は、車両用リフト装置５０から離れた所に設置されたコンピュータ迄移動しなければならなかった。よって、車両用リフト装置１によれば、作業効率を向上することができる。
【００２８】
また、作業者は、作業中に、電話などが設置されている場所まで移動することなく、外装材２に取り付けたインターフォン３を介して点検を待っている顧客や受付などと連絡を取ることができるので、移動する手間が省けて作業効率を向上することができる。
また、照明具６は、車両をリフトアップした際に、主に車両の下まわり全体を照明することができる。
【００２９】
さらに、車両用リフト装置１においては、インターフォン３，表示装置４及び照明具６の配線等が、外装材２内に収容されて、作業床に載置されないので、見栄えも良く、また作業の安全性を向上することができる。
【００３０】
また、車両用リフト装置１の外装材２は、各支柱５２Ｌ，５２Ｒに比して幅広に形成されているので、車両名，会社名を表記する等の宣伝，広告用のスペースとして外装材表面を活用することができる。
【００３１】
次に、本発明の他の実施形態に係る車両用リフト装置を説明する。
図８は本発明の他の実施形態に係る車両用リフト装置１Ａを示す部分斜視図であり、特に、受け台まわりが示されている。
車両用リフト装置１Ａは、前述の車両用リフト装置１と同様に、支柱５２Ｌ、５２Ｒまわりが外装材２で覆われていると共に、外装材２内に前述の情報伝達手段（インターフォン３と表示装置４）が配設されている。
【００３２】
一方、車両用リフト装置１Ａは、下記の構成において車両用リフト装置１と異なっている。すなわち、車両用リフト装置１Ａは、前述の受け台５３の代わりに、照明手段及び給電用コンセントを備えた受け台６３を備えている。
【００３３】
車両用リフト装置１Ａは、照明手段として、受け台６３に対して固定的に配設した照明具６４と、受け台６３に対して摺動可能に配設した照明具６５と、を備えている。照明具６４は、受け台６３の内側、即ち、他の受け台６３と向かい合う側に形成された凹部６３Ａ内に収容されており、例えば凹部６３Ａにはめ込み式に取り付けられたアクリル製の透光板６３Ｂを通して、外部を照明するものである。なお、従来使用されている蛍光灯とその連結器とを照明具６４として使用することが可能である。
車両用リフト装置１Ａの外に設置された電源部（図示省略）からの配線は、外装材２の下端から中に引き入れられ、さらに受け台６３内に引き入れた先端が連結器に接続されており、この連結器を介して蛍光灯に電気が供給される。
【００３４】
照明具６５は、受け台６３の内側面に形成された筋状のガイド溝６３Ｃに案内支持されており、車両の底面の特定の任意の箇所を特に明るく照明するものである。照明具６５は、例えば、ガイド溝６３Ｃの奥処に開設されたスリット６３Ｃ１に摺動可能に嵌合した基部６５Ａと、基部６５Ａから立設したシャフト６５Ｂと、ライトなどの発光部６５Ｃと、から構成されている。尚、シャフト６５Ｂとして、発光部６５Ｃからの光線方向を可変にするために、多様な方向に屈曲可能でその姿勢を維持できるフレキシブルシャフトを用いるのが好ましい。
車両用リフト装置１Ａの外に設置された電源部（図示省略）からの配線は、外装材２の下端から中に引き入れられ、さらに受け台６３内に引き入れた先端がスリット６３Ｃ１を介して発光部６５Ｃに接続されている。
【００３５】
また、車両用リフト装置１Ａは、受け台６３に対して摺動可能に配設した給電用のコンセント６６を備えている。このコンセント６６は、作業者が他の電気工具等を使用する際にその電気工具の為の電気をとるものであり、前述の照明具６５と同様に、受け台６３の内側面に形成された筋状のガイド溝６３Ｃに案内支持されている。なお、図示を省略するが、コンセント６６も、前述の照明具６５と同様に、コンセント６６の形状を画成する外装材の一部がガイド溝６３Ｃの奥処に開設されたスリット６３Ｃ１に摺動可能に嵌合している。
照明具６４，６５と同様に、車両用リフト装置１Ａの外に設置された電源部（図示省略）からの配線が、外装材２の下端から中に引き入れられ、さらに受け台６３内に引き入れた先端をスリット６３Ｃ１を介してコンセント６６に接続されている。
【００３６】
このように構成された本発明の他の実施形態に係る車両用リフト装置１Ａによれば、作業者は、作業に差し付かえない位置にコンセント６６をスライド移動して、電気工具などへの給電を行うことができる。これにより、車両整備工場内に設置された他のコンセントまでコネクタを差し込みに行く手間が省かれるので、作業効率が向上する。
【００３７】
また、作業者は、従来のように作業中に片手で照明具を保持することなく、車両の底部の任意の箇所を照明具６５で照らして両手で作業を行えるので、作業効率が向上すると共に作業の安全性も向上する。
【００３８】
さらに、受け台６３に固定的に設置された照明具６４によって、作業場所の全体を明るくすることができるので、作業環境を向上することができる。
【００３９】
さらに、車両用リフト装置１Ａにおいても、照明具６４，６５及びコンセント６６の配線が、受け台６３や外装材２内に収容され、作業床に載置されないので、作業の安全性が向上する。
【００４０】
上記の説明では、外装材２の内側（対向する他の外装材と向かい合う側）に情報伝達手段を備えた車両用リフト装置１，１Ａを例示したが、図９（Ａ）及び（Ｂ）に示すように、外装材２は、さらに工具や小物などを収納するための収納手段を備えていてもよい。
ここで、図９に示すように、収納手段としての棚８は、外装材２の内側に取り付けたボックス本体８Ａと、各ボックス８本体Ａの開口を開閉式に閉塞する扉８Ｂと、から構成されている。尚、図９に示す例では、ボックス本体８Ａが３つ設けられているが、その数は任意である。
【００４１】
このように、外装材２に棚８が設けられていれば、作業者は、作業中に必要な工具を棚８から取り出して使用することができ、離れた場所におかれた工具，道具などを取りに行く手間を無くすことができるので、作業効率を向上することができる。
このような棚８は、情報伝達手段を備えた図１〜図８に示す車両用リフト装置１，１Ａの外装材２に、情報伝達手段と並設されていてもよい。
【００４２】
以上の説明では、車両用リフト装置１，１Ａの各支柱５２Ｌ，５２Ｒを覆う外装材２が、それぞれ情報伝達手段及び／又は棚８とを備える場合を例示したが、左右に並設した一方の外装材２が情報伝達手段を備え、他方の外装材２が棚８を備えるように車両用リフト装置は構成されていてもよい。また、左右に並設した外装材２，２の内で、一方の外装材２にのみ情報伝達手段と棚８とが設けられて、車両用リフト装置１，１Ａは構成されていてもよい。
【００４３】
また、上記の説明の他に、車両用リフト装置１，１Ａの各外装材２には、情報伝達手段や棚８の他に、エアーホースやギヤオイル注入ノズルなどを配設してもよい。これらのホースやノズルは、不使用時には外装材内に収容され、使用時に外装材２から引き出されて使用できるようにすれば、便利である。
以上説明したが、本発明は、発明の主旨を逸脱しない範囲において様々な形態で実施できる。
【図面の簡単な説明】
【００４４】
【図１】本発明の実施形態に係る車両用リフト装置を示す斜視図である。
【図２】本発明の実施形態に係る車両用リフト装置の支柱まわりの構造例を示す部分斜視図である。
【図３】本発明の実施形態に係る車両用リフト装置に適用する昇降台を示す正面図である。
【図４】図３に示す昇降台の背面図である。
【図５】図３に示す昇降台の平面図である。
【図６】図３に示す昇降台の底面図である。
【図７】図３に示す昇降台の左側面図である。
【図８】本発明の他の実施形態に係る車両用リフト装置を示す部分斜視図である。
【図９】（Ａ）は、本発明のさらに他の実施形態に係る車両用リフト装置に適用する昇降台の正面図であり、（Ｂ）は（Ａ）の右側面図である。
【図１０】従来の車両用リフト装置を示す斜視図である。
【符号の説明】
【００４５】
１，１Ａ  車両用リフト装置
２  外装材
２Ａ  本体部
２Ａ１〜２Ａ３  平板部
２Ａ５  開口部
２Ｂ  第一の蓋
２Ｂ１  上部
２Ｂ２  下部
２Ｂ３  傾斜部
２Ｂ４  開口
２Ｃ  第二の蓋
２Ｃ１  開口
３  インターフォン
４  表示装置
６  照明具
７  透光板
８  棚（収納手段）
８Ａ  ボックス本体
８Ｂ  扉
１０  化粧板
６３  受け台
６３Ａ  凹部
６３Ｂ  透光板
６３Ｃ  ガイド溝
６３Ｃ１  スリット
６４，６５  照明具（照明手段）
６５Ａ  基部
６５Ｂ  シャフト
６５Ｃ  発光部
６６  給電用コンセント
【図１】
2005170519.tif 000003
【図２】
2005170519.tif 000004
【図３】
2005170519.tif 000005
【図４】
2005170519.tif 000006
【図５】
2005170519.tif 000007
【図６】
2005170519.tif 000008
【図７】
2005170519.tif 000009
【図８】
2005170519.tif 000010
【図９】
2005170519.tif 000011
【図１０】
2005170519.tif 000012